(57)【要約】【課題】封筒上紙に情報を容易に印字可能で、印字情報が機械読み取り用情報であれば、確実に機械読み取りすることができ、また、廃棄の際は他の紙製の部材と一緒に処理できる配送容器貼付用封筒を提供する。【解決手段】配送容器貼付用封筒１は、ラベル基材２の表面側にはグラシン紙のような半透明紙からなる封筒上紙３を三辺で接着剤４により綴じ合わせ、ラベル基材２の裏面には粘着剤５を設けて剥離紙６で被覆してなり、封筒上紙３の表出面には配送物に関連した情報を示す機械読み取り情報を設ける一方、封筒上紙３には控え票８をミシン目７を介して分離可能に連接し、この控え票８の表出面にも封筒上紙３と同一内容の機械読み取り用情報を設けたものである。【選択図】        図２
2005022702.tif 000002
【特許請求の範囲】
【請求項１】
ラベル基材の表面側には半透明紙からなる封筒上紙を三辺で綴じ合わせ、前記ラベル基材の裏面には粘着剤を設けて剥離紙で被覆し、前記封筒上紙の表出面には配送物に関連した情報を示す機械読み取り情報を設けたことを特徴とする配送容器貼付用封筒。
【請求項２】
封筒上紙には控え票を分離可能に連接し、この控え票の表出面にも封筒上紙と同一内容の機械読み取り用情報を設けたことを特徴とする請求項１記載の配送容器貼付用封筒。
【発明の詳細な説明】
【０００１】
【発明の属する技術分野】
本発明は、商品などの各種配送物を収納した配送容器に貼付するとともに、商品明細書などの書類を収容し、配送容器と一緒に配送する配送容器貼付用封筒に関する。
【０００２】
【従来の技術】
従来の配送容器に貼付する封筒は、収容した書類を透視できるように、合成樹脂製の透明フィルムからなる封筒上紙を備えているのが通常である。（例えば特許文献１参照）。
【０００３】
【特許文献１】
特開平７−３１４９４６号公報（第１図〜第３図）
【０００４】
【発明が解決しようとする課題】
ところがこの従来の配送容器貼付用の封筒によると、封筒上紙が透明フィルムからなるので、この封筒上紙には特別な加工を施さなければ情報を印字することが困難である一方、収容物に表示したバーコードのような機械読み取り用情報を封筒上紙を透して光学的手段で機械読み取りするのも合成樹脂製のフィルム面で阻害されて困難であり、さらには、たとえ封筒上紙に機械読み取り情報を印字しても、読み取り誤りを生じ易いという不都合がある。また、合成樹脂製の透明フィルムは、廃棄の際は配送容器を含む他の紙製の部材とは分別して処分しなければならないので、煩雑であるという不都合がある。本発明は、このような従来の不都合を解消した配送容器貼付用封筒を提供することを目的とする。
【０００５】
【課題を解決するための手段】
この目的を達成するために、本願発明の請求項１に記載した配送容器貼付用封筒は、ラベル基材の表面側には半透明紙からなる封筒上紙を三辺で綴じ合わせ、前記ラベル基材の裏面には粘着剤を設けて剥離紙で被覆し、前記封筒上紙の表出面には配送物に関連した情報を示す機械読み取り情報を設けたものである。
【０００６】
また、同じく上記目的を達成するために、本願発明の請求項２に記載した配送容器貼付用封筒は、上記請求項１の構成において、封筒上紙には控え票を分離可能に連接し、この控え票の表出面にも封筒上紙と同一内容の機械読み取り用情報を設けたことを特徴とする。
【０００７】
【発明の実施の形態】
以下、本発明の好適な実施の形態を添付図面に基づいて詳細に説明する。ここにおいて、図１は配送容器貼付用封筒を示す概略的な平面図、図２はそのＡ−Ａ線断面図、図３は控え票を分離して配送容器に貼付した状態の封筒を示す断面図である。
【０００８】
図１及び図２に示すように、配送容器貼付用封筒１は、四角形状のラベル基材２の表面側に、同じく四角形状で長辺の長さが前記ラベル基材２よりは短い、半透明紙であるグラシン紙からなる封筒上紙３を、互いの辺が上下に対応する三辺で接着剤４により綴じ合わせ、一辺側は開口している。グラシン紙は、亜硫酸パルプを原料とし、所定の加工を施して半透明とした薄紙であり、一般の紙と同様に再生加工が可能である。また、前記ラベル基材２の裏面には、全面に粘着剤５を設けて剥離紙６で被覆している。
【０００９】
封筒上紙３の開口辺と平行な綴じ合わせ辺側は、ミシン目７を介して延設し、控え票８を設けている。そして、前記封筒上紙３の表出面と、前記控え票８の表出面には、配送物に関連した情報、例えば配送物の管理情報である商品コードを示す機械読み取り情報たるバーコード９，１０を設けている。また、前記控え票８の表出面には、「控え票」という表題１１も設けている。
【００１０】
本実施形態は以上のように構成したので、図１及び図２状態にある配送容器貼付用封筒１のミシン目７を破断して、控え票８を分離したうえ、剥離紙６を剥がし、図３に示すように、露出した粘着剤５で配送物を収容した、あるいは追って収容する配送容器１２に接着する。そして、この配送容器１２に接着した封筒２１内に、配送物の商品明細書等の書類１３を収容して配送作業を行うものである。この際、封筒上紙３は半透明なグラシン紙からなるので、収容した書類１３を外部から確認することができ、また、バーコード９の光学的手段による機械読み取りも確実に行うことができる。そして、配送物の発送元では、控え票８のバーコード１０を利用して商品管理を行うことができる。
【００１１】
また、配送容器１２がダンボール箱のような紙製の場合には、封筒２１はすべて紙製なので、この封筒２１を配送容器１２から分離することなく、配送容器１２に接着したままの状態で、再生加工処理や廃棄処分をすることができる。
【００１２】
なお、本発明は、上述した実施形態に限定されるものではなく、例えば、控え票８は常に必要なものではなく、設けなくてもよいものである。また、封筒上紙３は、グラシン紙以外の半透明紙で構成することもできる。さらに、機械読み取り情報としては、バーコード１０，１１のほか、他の光学的手段で読み取り可能な表示態様であってもよい。
【００１３】
【発明の効果】
以上のように、本発明の請求項１に係る配送容器貼付用封筒によれば、封筒上紙を半透明紙で構成したので、その表出面に機械読み取り情報を設けても読み取りの誤りを生じることがなく好適であり、また、封筒内に収容した各種書類の確認も容易であり、さらに、紙ですべての構成要素を形成できるので、再生加工処理や廃棄処分も容易であるという効果を奏する。
【００１４】
また、本発明の請求項２に係る配送容器貼付用封筒によれば、上記効果に加えて、封筒上紙に表示した機械読み取り情報と同一内容の機械読み取り情報を表示した控え票を設けたので、この控え票の機械読み取り情報を利用して配送管理を容易、かつ確実に行うことができるという効果を奏する。
【図面の簡単な説明】
【図１】配送容器貼付用封筒を示す概略的な平面図。
【図２】図１のＡ−Ａ線断面図。
【図３】控え票を分離して配送容器に貼付した状態の封筒の概略的な断面図。
【符号の説明】
１      配送容器貼付用封筒
２      ラベル基材
３      封筒上紙
４      接着剤
５      粘着剤
６      剥離紙
７      ミシン目
８      控え票
９，１０      バーコード
１１      表題
１２      配送容器
１３      書類
２１      配送容器に貼付した封筒
【図１】
2005022702.tif 000003
【図２】
2005022702.tif 000004
【図３】
2005022702.tif 000005